【手続補正書】
【提出日】平成27年9月9日(2015.9.9)
【手続補正１】
【補正対象書類名】明細書
【補正対象項目名】００３６
【補正方法】変更
【補正の内容】
【００３６】
以上、本明細書において具体的な実施形態を図示及び説明したが、これらの実施形態は、本発明の原理を適用することで考案されうる多くの可能な具体的構成をあくまで例示するものにすぎない点は理解されよう。これらの原理に基づけば、本発明の趣旨及び範囲から逸脱することなく、多くの様々な他の構成が当業者によって考案されうる。したがって、本発明の範囲は、本出願に述べられる構造に限定されるべきではなく、「特許請求の範囲」の文言により述べられる構造及びそうした構造の均等物によってのみ限定されるべきものである。本発明の実施態様の一部を以下の項目［１］−［３７］に記載する。
［１］
エラストマーと、
揮発性液体と、を含む形状適合性コーティング組成物であって、
前記揮発性液体が、全組成物の少なくとも４０重量％であり、
前記組成物が、１，０００ｃｐｓ未満の粘度を有する、組成物。
［２］
止血剤を更に含む、項目１に記載の組成物。
［３］
前記止血剤が、重合性シアノアクリレートモノマーである、項目２に記載の組成物。
［４］
前記組成物が、少なくとも５％の止血剤を重合性シアノアクリレートモノマーとして含む、項目２に記載の組成物。
［５］
０．１〜５５重量％の、前記重合性シアノアクリレートモノマーの非揮発性部分を含む、項目３又は４に記載の組成物。
［６］
前記揮発性液体が、揮発性の直鎖状及び環状シロキサン、揮発性のポリジメチルシロキサン、イソオクタン、オクタン、及びこれらの組み合わせからなる群から選択される、項目１に記載の組成物。
［７］
全組成物の少なくとも６０重量％が、前記揮発性液体である、項目１に記載の組成物。
［８］
前記エラストマーが、ゴム又は熱可塑性エラストマーである、項目１に記載の組成物。
［９］
前記ゴムが、前記揮発性液体中に可溶であるか又は前記揮発性液体中で大きく膨潤する、ポリイソブチレン、ポリイソプレン、ブチルゴム、ハロゲン化ブチルゴム、ジエン、スチレンコポリマー、アクリロニトリルコポリマー、及びこれらのコポリマー又は混合物からなる群から選択される、項目８に記載の組成物。
［１０］
前記エラストマーが、１，４００〜１，０００，０００の分子量を有する、項目１に記載の組成物。
［１１］
前記エラストマーが、４０，０００〜１，０００，０００の分子量を有する、項目１０に記載の組成物。
［１２］
前記エラストマーが、低表面エネルギー物質で化学修飾される、項目１に記載の組成物。
［１３］
前記低表面エネルギー物質が、シリコーン、フッ素化オリゴマー、又は炭化水素系オリゴマー物質である、項目１２に記載の組成物。
［１４］
前記エラストマーがゴムである、項目１２に記載の組成物。
［１５］
前記エラストマーが不飽和ゴムである、項目１４に記載の組成物。
［１６］
前記エラストマーが、１８〜６５重量％のスチレン含量を有する、項目１に記載の組成物。
［１７］
少なくとも１重量％のエラストマーを含む、項目１に記載の組成物。
［１８］
少なくとも５重量％のエラストマーを含む、項目１に記載の組成物。
［１９］
アンチブロッキング剤を更に含む、項目１に記載の組成物。
［２０］
前記アンチブロッキング剤が、１〜１５０重量％の前記エラストマーを含む、項目１９に記載の組成物。
［２１］
前記アンチブロッキング剤が高Ｔｇを有し、２０〜１００重量％の前記エラストマー含量を有する、項目１９に記載の組成物。
［２２］
前記粘度が、１００ｃｐｓ未満である、項目１に記載の組成物。
［２３］
前記粘度が、１０重量％よりも高いエラストマー含量で１，０００ｃｐｓ未満である、項目１に記載の組成物。
［２４］
前記エラストマーが、前記揮発性液体中に分散される、項目１に記載の組成物。
［２５］
蛍光色素又は顔料を更に含む、項目１に記載の組成物。
［２６］
基材上にエラストマーを有する形状適合性フィルムであって、目付量が１〜３０ｍｇ／インチ２（０．１６〜４．６５ｍｇ／平方ｃｍ）であり、前記フィルムが１００％の伸長率で７５％未満の破断率を有する、形状適合性フィルム。
［２７］
前記フィルムが、１ｍｍ未満の厚さを有する、項目２６に記載の形状適合性フィルム。
［２８］
前記フィルムが、２００％の伸長率での破断率が７５％未満である、項目２６に記載の形状適合性フィルム。
［２９］
前記フィルムが、１００％及び２００％の伸長率での破断率が２５％未満である、項目２６に記載の形状適合性フィルム。
［３０］
前記フィルムが、少なくとも５０％の伸長率を有する、項目２６に記載の形状適合性フィルム。
［３１］
前記エラストマーが、ゴム又は熱可塑性エラストマーである、項目２６に記載の形状適合性フィルム。
［３２］
前記エラストマーが、１２〜１８重量％のスチレン含量を有する、項目３１に記載の組成物。
［３３］
前記ゴムが、前記揮発性液体中に可溶であるか又は前記揮発性液体中で大きく膨潤する、ポリイソブチレン、ポリイソプレン、ブチルゴム、ハロゲン化ブチルゴム、ジエン、スチレンコポリマー、アクリロニトリルコポリマー、及びこれらのコポリマー又は混合物からなる群から選択される、項目３１に記載の組成物。
［３４］
前記エラストマーが、低表面エネルギー物質で化学修飾される、項目３１に記載の組成物。
［３５］
前記低表面エネルギー物質が、シリコーン、フッ素化オリゴマー、又は炭化水素系オリゴマー物質である、項目３４に記載の組成物。
［３６］
前記エラストマーが不飽和ゴムである、項目３４に記載の組成物。
［３７］
前記フィルムが、低い粘着、抵抗、及びブロッキングを有する、項目２６に記載の組成物。
【手続補正２】
【補正対象書類名】特許請求の範囲
【補正対象項目名】全文
【補正方法】変更
【補正の内容】
【特許請求の範囲】
【請求項１】
エラストマーと、
揮発性液体と、を含む形状適合性コーティング組成物であって、
前記揮発性液体が、全組成物の少なくとも４０重量％であり、
前記組成物が、１，０００ｃｐｓ未満の粘度を有する、組成物。
【請求項２】
重合性シアノアクリレートモノマーである止血剤を更に含む、請求項１に記載の組成物。
【請求項３】
前記揮発性液体が、揮発性の直鎖状及び環状シロキサン、揮発性のポリジメチルシロキサン、イソオクタン、オクタン、及びこれらの組み合わせからなる群から選択される、請求項１に記載の組成物。
【請求項４】
前記エラストマーが、ゴム又は熱可塑性エラストマーである、請求項１に記載の組成物。
【請求項５】
前記ゴムが、前記揮発性液体中に可溶であるか又は前記揮発性液体中で大きく膨潤する、ポリイソブチレン、ポリイソプレン、ブチルゴム、ハロゲン化ブチルゴム、ジエン、スチレンコポリマー、アクリロニトリルコポリマー、及びこれらのコポリマー又は混合物からなる群から選択される、請求項４に記載の組成物。
【請求項６】
基材上にエラストマーを有する形状適合性フィルムであって、目付量が１〜３０ｍｇ／インチ２（０．１６〜４．６５ｍｇ／平方ｃｍ）であり、前記フィルムが１００％の伸長率で７５％未満の破断率を有する、形状適合性フィルム。
【請求項７】
前記エラストマーが、前記揮発性液体中に可溶であるか又は前記揮発性液体中で大きく膨潤する、ポリイソブチレン、ポリイソプレン、ブチルゴム、ハロゲン化ブチルゴム、ジエン、スチレンコポリマー、アクリロニトリルコポリマー、及びこれらのコポリマー又は混合物からなる群から選択されるゴムである、請求項６に記載の組成物。